(57)【特許請求の範囲】
【請求項１】
巻芯両端にフランジを備え、巻芯は同心状に中心筒軸を有し、巻芯と中心筒軸間に巻芯下側空間を形成した釣糸用スプールにおいて、前記フランジから巻芯に掛けて切欠部を設け、該切欠部に板状の埋合せ部材を装着し、該埋合せ部材から巻芯下側空間向けに延びる延長板部に切込み凹部を形成し、該切込み凹部内に、刃先を中心筒軸向けに露出させて巻芯下側空間に釣糸を切断するカッターを取着し、前記埋合せ部材が弾性プラスチックで成型され、前記フランジに対応する主板部に対し、フランジの外周縁付近に設けた折り目を介して折返し片を連設し、該折返し片を主板部に折り重ねた状態で折り目部から主板部には糸掛け部を、折返し片には、糸掛け部に連続して吊り孔を形成したことを特徴とする釣糸用スプール。
【請求項２】
巻芯両端にフランジを備え、巻芯は同心状に中心筒軸を有し、巻芯と中心筒軸間に巻芯下側空間を形成した釣糸用スプールにおいて、巻芯下側空間に釣糸を切断するカッターを取着し、切欠部に対応して巻芯下面に、巻芯を横切る方向に垂壁を設け、該垂壁端部に刃先を中心筒軸向けに露出させてカッターを取着し、切欠部に装着した埋合せ部材の延長板部をカッターの外端縁上に覆着し、前記埋合せ部材が弾性プラスチックで成型され、前記フランジに対応する主板部に対し、フランジの外周縁付近に設けた折り目を介して折返し片を連設し、該折返し片を主板部に折り重ねた状態で折り目部から主板部には糸掛け部を、折返し片には、糸掛け部に連続して吊り孔を形成したことを特徴とする釣糸用スプール。
【請求項３】
切欠部に対応して巻芯下面に、巻芯を横切る方向に垂壁を設け、該垂壁端部に刃先を中心筒軸向けに露出させてカッターを取着し、切欠部に装着した埋合せ部材の延長板部をカッターの外端縁上に覆着したことを特徴とする請求項１に記載の記載の釣糸用スプール。
【請求項４】
フランジに対応する埋合せ部材の主板部に、切り込み状に糸掛け部を設けたことを特徴とする請求項１〜３のいずれか１項に記載の釣糸用スプール。
【請求項５】
埋合せ部材の基部裏側に、結合突片を設け、該結合突片が嵌着される結合凹部を、巻芯下側に設けたことを特徴とする請求項１〜４のいずれか１項に記載の釣糸用スプール。
【発明の詳細な説明】
【０００１】
【発明の属する技術分野】
本発明は、スプールに巻回された釣糸の使用をし易くする釣糸用スプールに関するものである。
【０００２】
【従来の技術】
従来より、釣糸の販売形態として、所定長さの釣糸を、円筒形の巻芯の両端にフランジを備えた釣糸用スプールに巻回して市販することが行われている。
【０００３】
こうしてスプールに巻回された釣糸が勝手にスプールから解れたりしないようにするために、スプールに巻回された釣糸上に、弾力的に釣糸面に当てられる薄板バンド状のプラスチック製の糸止め具を装着することが行われている。
【０００４】
この糸止め具には、釣糸を交換したりする時に、スプールから繰り出される釣糸を必要長さにカットするためのカッターや、カット後の釣糸端部を保持させる糸止め手段を備えたものが提案されている。（例えば、特許文献１参照。）。
【０００５】
この特許文献１に記載のものは、糸止め具の一側縁からの釣糸導入部と、これに連なる釣糸繰り出し孔とを設けるとともに、釣糸繰り出し孔から繰り出された釣糸を切断し、かつ残余の釣糸端部を保持するために、糸止め具の外周面にカッター部を設けたものである。
【０００６】
このカッター部の具体的構成としては、糸止め具と一体成形されたカッター台に対し、カッター刃を備えたベースプレートを横方向から挿入・嵌着したもので、ベースプレートは、１枚の板状金属製材料を屈曲形成してなり、上面の略Ｕ字形の切り込み部分を斜め上方に持ち上げて舌状のカッター刃を形成している。
【０００７】
このカッター刃は、上カッター台に対して、糸止め具の長さ方向に対して斜め方向に形成されているので、スプールに巻回された釣糸を使用する時は、釣糸繰り出し孔より必要長さ繰り出した釣糸をカッター刃とベースプレート間に挟み込んでから、釣糸繰り出し孔へ戻る方向に強く引くと、カッター刃の根元で釣糸が切断される一方、カッター刃の根元には残余の釣糸端部が保持されるものである。
【０００８】
【特許文献１】
特開２０００−１５７１３４公報（請求項１、図６）
【０００９】
【発明が解決しようとする課題】
ところが、前記する従来例の糸止め具では、釣糸は、ベースプレートの上面に、略Ｕ字形に切り起こし状に設けた舌状のカッター刃の根元まで引き込んで切断され、切断後の釣糸端部はそのままにカッター刃の根元に挟み込まれて保持されるので、次回に、スプールに巻回された釣糸を引き出すには、カッター刃の根元に保持されている釣糸端部を外してからでないと、釣糸端部を摘んでスプールから引き出すことはできないものである。
【００１０】
また、一般的な市販品におけるスプールに巻回される釣糸は、所定長の釣糸を巻回した状態で、フランジ周縁部のところまで一杯には巻回されてはおらず、フランジの内面中間部付近までしか釣糸は巻回されず、フランジの上半部分を残すような巻き方になっているため、スプール内の釣糸上に装着される糸止め具は、両方のフランジ間の隙間に落ち込んで釣糸面に接している。
【００１１】
そこで、スプールに巻回された釣糸を、道具を使用しないで指先だけでスプールから引き出すとなれば、両方のフランジ間の隙間に指先を挿入し、釣糸上に装着された糸止め具のカッター刃の根元に保持されている釣糸端部を外し、この釣糸端部を摘んで引き出さなければならない。しかし、汎用のスプールでは、両方のフランジ間の隙間に指先を深く挿入することはできないので、指先だけでカッター刃の根元から釣糸端部を外したり、その端部を摘んで釣糸を引き出したりする操作ができるのは、両方のフランジ間の間隔の大きな大型のスプールに限られてくる。
【００１２】
また、このような大型のスプールにしても、スプール内の釣糸量が少なって両方のフランジ間の隙間内に糸止め具が深く落ち込んでしまうと、両方のフランジ間の隙間内に指先を挿入して釣糸を簡単に取り扱うことはできなくなる。
【００１３】
さらに、ベースプレート上面に略Ｕ字形に切り起こしてたような舌状のカッター刃からすると、その根元に挟み込み状に保持されている釣糸端部を指先で外したりする時に、刃先に指先が触れて怪我をするおそれも多分にある。
【００１４】
そこで、本発明に係る釣糸用スプールは、スプールの大きさやスプールに巻回される釣糸量に関係なく、常に同じ条件で、スプール内からの釣糸の引き出しと、その切断、また、切断後の釣糸端部の保持が簡単にでき、しかも、カッターの刃先には指先が触れるようなことがなく安全で、取り扱い易い釣糸用スプールを提供することを目的としたものである。
【００１５】
【課題を解決するための手段】
上記目的を達成するために、本発明に係る釣糸用スプールは、巻芯両端にフランジを備え、巻芯は同心状に中心筒軸を有し、巻芯と中心筒軸間に巻芯下側空間を形成した釣糸用スプールにおいて、前記フランジから巻芯に掛けて切欠部を設け、該切欠部に板状の埋合せ部材を装着し、該埋合せ部材から巻芯下側空間向けに延びる延長板部に切込み凹部を形成し、該切込み凹部内に、刃先を中心筒軸向けに露出させて巻芯下側空間に釣糸を切断するカッターを取着し、前記埋合せ部材が弾性プラスチックで成型され、前記フランジに対応する主板部に対し、フランジの外周縁付近に設けた折り目を介して折返し片を連設し、該折返し片を主板部に折り重ねた状態で折り目部から主板部には糸掛け部を、折返し片には、糸掛け部に連続して吊り孔を形成したことを特徴とする。
【００１６】
このように構成した本発明の釣糸用スプールによれば、スプールに巻回された釣糸をスプール内から必要とする長さを引き出し、そのままスプールの外で釣糸の切断部分を巻芯下側空間内に引き入れてカッターの刃先に掛けて切断することができる。こうして、スプールのサイズやスプールに巻回された釣糸量に関係なく、常に同じ条件で、スプール内からの釣糸の引き出しと切断が簡単にできて便利なものである。しかも、釣糸を切断する時に、釣糸は、カッターの刃先から離れたところを持って取り扱われ、刃先には指先が触れるようなこともないので、安全性も高い。
【００１７】
そして、切込み凹部内にあってカッター両側には、刃先前方に突出する棒状部が近接して形成されるので、釣糸を切断する時は、スプールの外で釣糸の切断部分を巻芯下側空間内に引き入れて一方の棒状部に内側から引っ掛けて軽く釣糸を引っ張るだけで釣糸の切断は簡単にできる。
【００１８】
また、実用的なカッターの刃長は、せいぜい５mm程度のもので充分とされるので、カッター両側で刃先前方に突出する２つの棒状部の間隔が狭く、しかも、棒状部は厚みがあってカッター取着位置を内側に下げるので、両方の棒状部の存在が切込み凹部内にあるカッターの刃先に指先を触れないようにした指先保護手段として機能し、安全性は高いものである。
【００１９】
そして、折返し片を主板部に対して展開した状態では、折返し片はスプールの外に突出するので、釣糸用スプールを店頭販売するに当たって、折返し片の吊り孔を使用し、各釣糸用スプールを吊り下げ状に陳列することができて便利なものである。また、釣糸用スプールが使用者に渡ってからは、使用者が折返し片を不要とする時は、折返し片を折り目から折除するか又は折返し片を主板部に折り重ねた状態に保持しておけば折返し片は邪魔にはならないものである。
【００２０】
また、上記目的を達成するために、本発明に係る釣糸用スプールは、巻芯両端にフランジを備え、巻芯は同心状に中心筒軸を有し、巻芯と中心筒軸間に巻芯下側空間を形成した釣糸用スプールにおいて、巻芯下側空間に釣糸を切断するカッターを取着し、切欠部に対応して巻芯下面に、巻芯を横切る方向に垂壁を設け、該垂壁端部に刃先を中心筒軸向けに露出させてカッターを取着し、切欠部に装着した埋合せ部材の延長板部をカッターの外端縁上に覆着し、前記埋合せ部材が弾性プラスチックで成型され、前記フランジに対応する主板部に対し、フランジの外周縁付近に設けた折り目を介して折返し片を連設し、該折返し片を主板部に折り重ねた状態で折り目部から主板部には糸掛け部を、折返し片には、糸掛け部に連続して吊り孔を形成したことを特徴とする
このように構成した本発明の釣糸用スプールによれば、スプールに巻回された釣糸をスプール内から必要とする長さを引き出し、そのままスプールの外で釣糸の切断部分を巻芯下側空間内に引き入れてカッターの刃先に掛けて切断することができる。こうして、スプールのサイズやスプールに巻回された釣糸量に関係なく、常に同じ条件で、スプール内からの釣糸の引き出しと切断が簡単にできて便利なものである。しかも、釣糸を切断する時に、釣糸は、カッターの刃先から離れたところを持って取り扱われ、刃先には指先が触れるようなこともないので、安全性も高い。
【００２１】
そして、垂壁端部に取着したカッターは、埋合せ部材の延長板部に対してＴ字状配置となり、カッターの刃先の一端が延長板部裏面に接し、延長板部はこの刃先端部より前方（中心筒軸向け）に突出するので、釣糸を切断する時は、スプールの外で釣糸の切断部分を巻芯下側空間内に引き入れて延長板部に内側から引っ掛けて軽く釣糸を引っ張るだけで釣糸の切断は簡単にできる。
【００２２】
また、垂壁端部に取着したカッターは、埋合せ部材の延長板部の裏側中央部に位置するので、埋合せ部材の延長板部の存在が、刃先に指先を触れさせないようにした指先保護手段として機能し、安全性は高いものである。
【００２３】
そして、折返し片を主板部に対して展開した状態では、折返し片はスプールの外に突出するので、釣糸用スプールを店頭販売するに当たって、折返し片の吊り孔を使用し、各釣糸用スプールを吊り下げ状に陳列することができて便利なものである。また、釣糸用スプールが使用者に渡ってからは、使用者が折返し片を不要とする時は、折返し片を折り目から折除するか又は折返し片を主板部に折り重ねた状態に保持しておけば折返し片は邪魔にはならないものである。
【００２４】
前記構成において、切欠部に対応して巻芯下面に、巻芯を横切る方向に垂壁を設け、該垂壁端部に刃先を中心筒軸向けに露出させてカッターを取着し、切欠部に装着した埋合せ部材の延長板部をカッターの外端縁上に覆着した構成にすると、垂壁端部に取着したカッターは、埋合せ部材の延長板部に対してＴ字状配置となり、カッターの刃先の一端が延長板部裏面に接し、延長板部はこの刃先端部より前方（中心筒軸向け）に突出するので、釣糸を切断する時は、スプールの外で釣糸の切断部分を巻芯下側空間内に引き入れて延長板部に内側から引っ掛けて軽く釣糸を引っ張るだけで釣糸の切断は簡単にできる。
【００２５】
また、垂壁端部に取着したカッターは、埋合せ部材の延長板部の裏側中央部に位置するので、埋合せ部材の延長板部の存在が、刃先に指先を触れさせないようにした指先保護手段として機能し、安全性は高いものである。
【００２６】
前記構成において、フランジに対応する埋合せ部材の主板部に、切り込み状に糸掛け部を設けた構成にすると、釣糸を切断する際に、スプールから外に出てくる部分を糸掛け部に引き入れておくと、切断時に釣糸を引っ張って切断する操作がし易くなる。
【００２７】
また、釣糸切断後には、釣糸端部がそのまま糸掛け部に挟持状に保持されるので、スプール内に残る釣糸が解れたりすることがなく、次回に釣糸を使用する時に釣糸を取り扱い易くする。
【００２８】
前記構成において、埋合せ部材の基部裏側に、結合突片を設け、該結合突片が嵌着される結合凹部を、巻芯下側に設けた構成にすると、カッターの取着後に、スプール本体に対する埋合せ部材の装着作業がし易くなり、作業性を向上できる。
【００２９】
【発明の実施の形態】
以下、本発明の実施の形態を図面に基づいて具体的に説明する。
【００３０】
図１は本発明の実施の形態を示す釣糸用スプールから埋合わ部材を外した状態を示す斜視図、図２は釣糸の切断要領を説明するための要部の正面図である。
【００３１】
図において、１はスプール本体、２は釣糸を示す。
【００３２】
スプール本体１は、Ｐ．Ｓ樹脂等のプラスチック資材で成型され、巻芯３の両端にフランジ４を備え、巻芯３は同心状に中心筒軸５を有し、巻芯３と中心筒軸５を補強板又は端板等の結合板６で結合して巻芯３下側空間７を形成したもので、大きさは、使用上の便利さを考慮して適切な大きさに設定される。なお、スプール本体１の基本的形態は、汎用のこの種のスプールと同じである。
【００３３】
スプール本体１のフランジ４から巻芯３に掛けて切欠部８を設け、この切欠部８に、巻芯下側空間７向けに延びる延長板部１０を有する板状の埋合せ部材９を装着している。
【００３４】
この埋合せ部材９は、ポリエチレン等の弾性プラスチック資材で成型され、スプール本体１との結合のために、埋合せ部材９の基部裏側に、結合突片１１を設け、スプール本体１には、この結合突片１１が嵌着される結合凹部１２を巻芯３下側に設けている。
【００３５】
また、フランジ４に対応する埋合せ部材９の主板部１３には、フランジ４の外周縁付近に設けた折り目１４を介して折返し片１５を連設している。この折返し片１５を主板部１３に折り重ねた状態で折り目１４部から主板部１３には糸掛け部１６を、折返し片１５には、糸掛け部１６に連続して吊り孔１７を形成している。ここでの折返し片１５は、主板部１３に対して展開した状態では折返し片１５がスプールの外に突出するので、釣糸用スプールを店頭販売するに当たって折返し片１５の吊り孔１７を使用し、各釣糸用スプールを吊り下げ状に陳列したりするのに使用される。また、釣糸用スプールが使用者に渡ってからは、使用者が折返し片１５を不要とする時は、折り目１４から折返し片１５を折除するか又は折返し片１５を主板部１３に折り重ねた状態に保持しておかれる。
【００３６】
埋合せ部材９の延長板部１０の端部に、切込み凹部１８を形成し、この切込み凹部１８内に、刃先１９ａを中心筒軸５向けに露出させてカッター１９を取着している。
【００３７】
このカッター１９の実用的な刃長は、せいぜい５mm程度のもので、カッター１９は切込み凹部１８内に刃先１９ａだけを露出させて埋設状に取着され、刃先１９ａは切込み凹部１８内を傾斜して横切るようにしている。
【００３８】
ここで、延長板部１０に切込み凹部１８を形成してカッター１９両側には、刃先１９ａ前方に向けにて棒状部２０が近接して突出する。この２つの棒状部２０は間隔が狭く、しかも、棒状部２０は厚みがあって棒状部２０の外面は、カッター１９取着面より高くして刃先１９ａを棒状部２０の外面より低い位置にあるので、切込み凹部１８内のカッター１９の取着部分では、２つの棒状部２０の存在が、延長板部１０の上面側からも切込み凹部１８内のカッター１９の刃先１９ａに指先を触れさせないようにする指先保護手段として機能する。
【００３９】
上記構成において、釣糸を切断する時は、釣糸Ａの端部を指先で持って必要とする長さをスプール内から引き出し、スプールから外に出てくる部分を、図２に示すように、切断前に糸掛け部１６に引き入れてから釣糸の切断部分を巻芯下側空間７内に入れ、一方の棒状部２０の内側から切込み凹部１８に引っ掛けてから釣糸を引っ張ると、釣糸Ａは刃先１９ａに掛けられて簡単に切断される。
【００４０】
こうして、釣糸切断後には、釣糸端部がそのまま糸掛け部１６に挟持状に保持されるので、スプール内に残る釣糸が解れたりすることがなく、次回に釣糸を使用する時に釣糸を取り扱い易くする。
【００４１】
図３〜５は、他の実施の形態を示すもので、図３は釣糸用スプールの要部の正面図、図４は図３ａーａ線における断面図、図５は釣糸の切断要領を説明するための要部の正面図である。
【００４２】
この実施の形態では、カッター１９の取着のために、スプール本体１のフランジ４から巻芯３に掛けて設けた切欠部８に対応して巻芯下面に、巻芯３を横切る方向に垂壁２１を設けている。この垂壁２１端部は、巻芯３側からの垂壁２１基部を、垂壁２１の高さの半分程度を残す形で切欠によって形成され、この垂壁２１基部に形成した溝孔２２にカッター１９を嵌挿して取着している。こうして垂壁２１端部に取着されたカッター１９は、垂壁２１端部で巻芯３に接し、且つ、カッター１９外端縁を垂壁２１端部に臨ませて取着され、外部に露出する刃先１９ａは中心筒軸５に向けられてその外端より内端を中心筒軸５側から遠ざけるように傾斜が付けられている。また、垂壁端部を形成する垂壁２１の切欠端面は、刃先１９ａの内端側に対応して釣糸を刃先１９ａ側に誘導するための誘導面２３を形成している。この状態で切欠部８に埋合せ部材９を装着すると、埋合せ部材９の延長板部１０に対してカッター１９はＴ字状配置となり、カッター１９の刃先１９ａの外側縁には延長板部１０裏面が接し、延長板部１０はカッター１９の刃先１９ａ端部より前方（中心筒軸５向け）に突出する。こうしてカッター１９の取着部分では、延長板部１０によってカッター１９は完全に覆われるので、延長板部１０の存在がその裏側のカッター１９の刃先１９ａに指先を触れさせないようにした指先保護手段として機能する。
【００４３】
上記構成において、釣糸を切断する時は、スプールの外で釣糸の切断部分を巻芯下側空間７内に引き入れて延長板部１０に内側から引っ掛けて軽く釣糸を外向きに引っ張るだけで釣糸の切断は簡単にできる。
【００４４】
なお、図中２４は、垂壁２１の片側で埋合せ部材９の延長板部１０の裏側に設けたガイド片で、このガイド片２４にはカッター１９の刃先１９ａに対応してガイド溝２５が切り込み状に設けてあり、このガイド溝２５からカッター１９側に釣糸２を掛けて切断すると、切断がし易くなるようにしている。また、釣糸切断後には、釣糸端部は糸掛け部１６に挟持状に保持される上に、釣糸末端部がガイド溝２５に曲げられて保持させるので、次回に釣糸２を使用する時に摘み易くなって取り扱い易くする。
【００４５】
【発明の効果】
本発明は、以上説明したような形態で実施され、本発明の釣糸用スプールによれば、巻芯と中心筒軸間に形成される巻芯下側空間を巧みに利用し、この空間内に釣糸を切断するカッターを取着し、スプール内から引き出した釣糸をスプールの外で切断するようにしたので、スプールの大きさやスプールに巻回された釣糸量に関係なく、常に同じ条件で、スプール内からの釣糸の引き出しと切断が簡単にできる。また、カッターの刃先には、指先を触れさせないように保護手段を講じているので、安全性も高く取り扱い易いものである。
【図面の簡単な説明】
【図１】  本発明の実施の形態を示す釣糸用スプールから埋合わ部材を外した状態を示す斜視図である。
【図２】  釣糸の切断要領を説明するための要部の正面図である。
【図３】  本発明の他の実施の形態を示す釣糸用スプールの要部の正面図である。
【図４】  図３ＡーＡ線における断面図である。
【図５】  釣糸の切断要領を説明するための要部の正面図である。
【符号の説明】
１  スプール本体
２  釣糸
３  巻芯
４  フランジ
５  中心筒軸
６  結合板
７  巻芯下側空間
８  切欠部
９  埋合せ部材
１０  延長板部
１１  結合突片
１２  結合凹部
１３  主板部
１４  折り目
１５  折り返し片
１６  糸掛け部
１７  吊り孔
１８  切込み凹部
１９  カッター
１９ａ  刃先
２０  棒状部
２１  垂壁
２２  溝孔
２３  誘導面
２４  ガイド片
２５  ガイド溝
【図１】
0003701274.tif 000002
【図２】
0003701274.tif 000003
【図３】
0003701274.tif 000004
【図４】
0003701274.tif 000005
【図５】
0003701274.tif 000006